(57)【要約】【課題】貼り合わせディスクの外周面から漏出した接着剤との接触を極力避ける構造を有するディスク装置を提供する。【解決手段】ガイドフラップ３は略板状の部材であり、その両側には一対のディスクガイド部４および５が形成されている。ディスクガイド部４および５の各内側はディスクＭの外周面に当接してこれを支持するディスク当接部４ａおよび５ａとなっている。ディスク当接部４ａはディスクＭの厚さ方向に延びる複数の溝を有する凹凸形状となっている。【選択図】　　　　図５
2004139639.tif 000002
【特許請求の範囲】
【請求項１】
筐体と、該筐体に固定されかつディスクを案内する案内部材と、該案内部材によって案内される前記ディスクに搬送力を付与するローラと、該ローラを回転可能に支持するローラ支持部材と、前記ディスクの大きさを判別するためのディスクサイズ選択レバーとを備え、前記ディスクの外周面と接触する前記案内部材、前記ローラ支持部材および前記ディスクサイズ選択レバーの各ディスク当接部のうち少なくとも１つを接触面積低減形状としたディスク装置。
【請求項２】
接触面積低減形状はディスクの外周面のうち縁部のみに当接するテーパ形状であることを特徴とする請求項１記載のディスク装置。
【請求項３】
接触面積低減形状はディスクの外周面に部分的に当接する凹凸形状であることを特徴とする請求項１記載のディスク装置。
【発明の詳細な説明】
【０００１】
【発明の属する技術分野】
この発明は、ＤＶＤ（デジタル・バーサタイル・ディスク）等のディスクに対して光学的に映像音声情報等の記録や再生を行うディスク装置に関するものである。
【０００２】
【従来の技術】
ＤＶＤ等のディスクに対して記録や再生を行うディスク装置は、ディスクの挿入スロットを有するフレームと、このフレームの挿入スロット近傍に固定されかつディスクを案内するガイドフラップと、このガイドフラップとの間を案内されるディスクに搬送力を付与するローラと、このローラを支持するローラベースと、ディスクの大きさを判別するためのディスクサイズ選択レバーとを備えている。ガイドフラップ、ローラベースおよびディスクサイズ選択レバーには、ディスクの搬送路に面する位置にディスクの外周面に当接してこれを支持するディスク当接部がそれぞれ設けられている。従来のディスク装置における各ディスク当接部はディスクの外周面の一部を厚さ方向および周方向に当接する面を有している。（例えば、特許文献１参照）
【０００３】
ところで、ＤＶＤ等の貼り合わせディスクは、レーベル面を有する１枚のディスク板とこれと同形同寸法で記録面を有する１枚のディスク板とを接着剤で貼り合わせてなるものである。このため、両ディスク板間に塗布された接着剤が貼り合わせディスクの外周面から漏出する場合がある。
【０００４】
【特許文献１】
特公昭６２−２７４６３号公報（第２頁、第１図および第２図）
【０００５】
【発明が解決しようとする課題】
しかし、従来のディスク装置は上述のような構成を有しているので、貼り合わせディスクの挿抜に際してディスク当接部が貼り合わせディスクの外周面に当接すると、その外周面から漏出した接着剤により接触面間に生じる摩擦による動作負荷が増大するため、貼り合わせディスクの挿抜を円滑に行えなくなり、最悪の場合、動作不良に陥るという課題があった。
【０００６】
この発明は上記のような課題を解決するためになされたもので、貼り合わせディスクの外周面から漏出した接着剤との接触を極力避ける構造を有するディスク装置を得ることを目的とする。
【０００７】
【課題を解決するための手段】
この発明に係るディスク装置は、筐体と、該筐体に固定されかつディスクを案内する案内部材と、該案内部材によって案内される前記ディスクに搬送力を付与するローラと、該ローラを回転可能に支持するローラ支持部材と、前記ディスクの大きさを判別するためのディスクサイズ選択レバーとを備え、前記ディスクの外周面と接触する前記案内部材、前記ローラ支持部材および前記ディスクサイズ選択レバーの各ディスク当接部のうち少なくとも１つを接触面積低減形状とするように構成したものである。
【０００８】
【発明の実施の形態】
以下、この発明の実施の一形態を説明する。
実施の形態１．
図１はこの発明の実施の形態１によるディスク装置の内部構造を示す平面図であり、図２は図１に示したディスク装置を示す正面図であり、図３は図１に示したディスク装置の内部構造を矢印Ａ方向から見た側面図であり、図４は図１から図３に示したディスク装置の案内部材の構造を示す図であって、図４（ａ）は平面図であり、図４（ｂ）は正面図であり、図５は図４に示した案内部材の要部を矢印Ｂ方向から見た拡大矢視図であり、図６は図１から図３に示したディスク装置のローラ支持部材の構造を示す平面図であり、図７は図６に示したローラ支持部材の要部を矢印Ｃ方向から見た拡大矢視図であり、図８は図１から図３に示したディスク装置のディスクサイズ選択レバーのピン部を示す正面図であり、図９は図８に示したディスクサイズ選択レバーのピン部を拡大して示す斜視図であり、図１０は図８および図９に示したディスクサイズ選択レバーのピン部に対する貼り合わせディスクの当接状態を示す側面図である。
【０００９】
図において１はディスク装置のフレーム（筐体）である。フレーム１の前部（図１の下側）にはＤＶＤ等のディスクＭの挿抜を行うための挿入スロット２が形成されている。フレーム１の挿入スロット２近傍の一面（天井面）にはディスクＭを案内するガイドフラップ（案内部材）３が固定されている。ガイドフラップ３は図４（ａ）および図４（ｂ）に示すように略板状の部材であり、その両側にはディスクＭのディスクローディング方向（矢印Ｘ方向）およびイジェクト方向（矢印Ｙ方向）に沿って延在する一対のディスクガイド部４および５が形成されている。これらディスクガイド部４および５の各内側はディスクＭの外周面に当接してこれを支持するディスク当接部４ａおよび５ａとなっている。この実施の形態１におけるディスク当接部４ａは図４（ａ）および図５に示すようにディスクＭの厚さ方向に延びる複数の溝を有する凹凸形状（接触面積低減形状）となっている。
【００１０】
フレーム１の挿入スロット２近傍位置には、ガイドフラップ３に対向する位置にローラベース６が配設されている。ローラベース６は図３に示すようにガイドフラップ３との間を案内されたディスクＭに搬送力を付与するローラ７を回転可能に支持しており、ばね部材（図示せず）の付勢力によりローラ７をガイドフラップ３側へ押圧してディスクＭを挟持する方向（矢印Ｚ方向）に付勢されている。ローラベース６の両側にはディスクＭのディスクローディング方向（矢印Ｘ方向）およびイジェクト方向（矢印Ｙ方向）に沿って延在するディスクガイド部８および９が形成されており、両ディスクガイド部８および９の各内側はディスクＭの外周面に当接してこれを支持するディスク当接部８ａおよび９ａとなっている。この実施の形態１におけるディスク当接部９ａは図６および図７に示すようにディスクＭの厚さ方向と交差する方向に延びる複数の溝を有する凹凸形状（接触面積低減形状）となっている。なお、ローラ７は回転駆動モータ（図示せず）によりディスクＭを矢印Ｘ方向または矢印Ｙ方向へ搬送するように正逆回転可能である。
【００１１】
フレーム１内には支軸１０に回動自在に支持されかつディスクＭの大きさ（外径寸法）を判別するためのディスクサイズ選択レバー１１が配設されている。ディスクサイズ選択レバー１１の先端部にはディスクＭの外周面に当接して回動するピン部１２が設けられている。ピン部１２は全体的に先細り形状となっており、特にその外周面の一部はディスク当接部１２ａとなっている。ディスク当接部１２ａは図８および図９に示すようにディスクＭの外周面の一部である外周縁部にのみ当接するテーパ形状（接触面積低減形状）となっている。
【００１２】
次に動作について説明する。
まず、ディスクＭが挿入スロット２から挿入されると、回転駆動モータ（図示せず）が駆動され、その回転駆動力でローラ７がディスクローディング方向（矢印Ｘ方向）に正回転する。これによりディスクＭはフレーム１内部へ搬送される。ディスクＭが搬送されると、その外周面のうち、斜め前方の一部にディスクサイズ選択レバー１１のピン部１２が当接する。このとき、ピン部１２のディスク当接部１２ａはテーパとなっているため、ディスク当接部１２ａにはディスクＭの外周面のうち外周縁部のみが当接するが、接着剤が漏出している可能性のある外周面の中央部分は全く接触しない。
【００１３】
さらに、ディスクＭが搬送されてフレーム１の奥部に入ると、ディスクＭの外周面のうちディスクローディング方向と直交する方向の両側部がガイドフラップ３のディスク当接部４ａおよびローラベース６のディスク当接部９ａに当接する。このとき、ディスク当接部４ａおよび９ａが凹凸面となっているため、ディスクＭの外周面との接触面積が低減する。
【００１４】
以上のように、この実施の形態１によれば、ディスクサイズ選択レバー１１のピン部１２のディスク当接部１２ａをテーパ形状とするように構成したので、ディスク当接部１２ａとディスクＭの外周面から漏出した接着剤との接触を回避することができ、ディスクＭの外周面から漏出した接着剤により接触面間に生じる摩擦による動作負荷の増大を防止し、ディスクＭの挿抜を円滑に行うことができるという効果がある。
【００１５】
この実施の形態１では、ガイドフラップ３のディスクガイド部４のディスク当接部４ａを凹凸形状とするように構成したので、ディスク当接部４ａとディスクＭの外周面との接触面積を極力低減することができ、漏出した接着剤による動作負荷の増大を防止し、ディスクＭの挿抜を円滑に行うことができるという効果がある。
【００１６】
この実施の形態１では、ローラベース６のディスクガイド部９のディスク当接部９ａを凹凸形状とするように構成したので、ディスク当接部９ａとディスクＭの外周面との接触面積を極力低減することができ、漏出した接着剤による動作負荷の増大を防止し、ディスクＭの挿抜を円滑に行うことができるという効果がある。
【００１７】
この実施の形態１では、ディスクサイズ選択レバー１１のピン部１２のディスク当接部１２ａをテーパ形状とし、同時にガイドフラップ３のディスクガイド部４のディスク当接部４ａおよびローラベース６のディスクガイド部９のディスク当接部９ａをそれぞれ凹凸形状とするように構成したが、これらの各ディスク当接部のうち少なくとも１つでもテーパ形状や凹凸形状等の接触面積低減形状とするだけで、漏出した接着剤による動作負荷の増大を防止することができ、ディスクＭの挿抜を円滑に行うことができるという効果がある。
【００１８】
実施の形態２．
図１１はこの発明の実施の形態２によるディスク装置の案内部材の構造を示す図であって、図１１（ａ）は平面図であり、図１１（ｂ）は正面図であり、図１２は図１１に示した案内部材の要部を矢印Ｄ方向から見た拡大矢視図である。なお、この実施の形態２の構成要素のうち、実施の形態１の構成要素と共通する部分については同一符号を付し、その部分の説明を省略する。
【００１９】
この実施の形態２の特徴は、実施の形態１と異なり、ガイドフラップ３のディスクガイド部４の内側が、ディスクＭの外周面のうち接着剤が漏出する可能性のある中央部分を外側へ凹ませ、そこを起点にしてディスクＭの厚さ方向に２つのテーパを形成してなる断面Ｖ字形状のディスク当接部４ｂとなっている点にある。これにより、ディスクＭの外周面がディスク当接部４ｂに当接する際に、２つのテーパ部分にディスクＭの外周縁部が接触するものの、ディスク当接部４ｂとディスクＭの外周面から漏出した接着剤との接触が回避される。
【００２０】
以上のように、この実施の形態２によれば、ガイドフラップ３のディスクガイド部４のディスク当接部４ｂを２つのテーパからなる断面Ｖ字形状とするように構成したので、ディスク当接部４ｂとディスクＭの外周面から漏出した接着剤との接触を回避することができ、ディスクＭの外周面から漏出した接着剤により接触面間に生じる摩擦による動作負荷の増大を防止し、ディスクＭの挿抜を円滑に行うことができるという効果がある。
【００２１】
実施の形態１および実施の形態２では、ディスク当接部４ａ、４ｂ、９ａおよび１２ａに対し接触面積低減形状としてテーパ形状または凹凸形状を選択したが、この発明はこれらの形状に限定されるものではなく、接触面積低減効果のある形状であれば、如何なる形状であっても適用可能である。
【００２２】
【発明の効果】
以上のように、この発明によれば、筐体と、該筐体に固定されかつディスクを案内する案内部材と、該案内部材によって案内される前記ディスクに搬送力を付与するローラと、該ローラを回転可能に支持するローラ支持部材と、前記ディスクの大きさを判別するためのレバーとを備え、前記ディスクの外周面と接触する前記案内部材、前記ローラ支持部材および前記レバーの各ディスク当接部のうち少なくとも１つを接触面積低減形状とするように構成したので、ディスクの外周面と各ディスク当接部との接触面積を極力低減することができ、貼り合わせディスクの外周面から漏出した接着剤により接触面間に生じる摩擦による動作負荷の増大を防止し、貼り合わせディスクの挿抜を円滑に行うことができるという効果がある。
【図面の簡単な説明】
【図１】この発明の実施の形態１によるディスク装置を示す平面図である。
【図２】図１に示したディスク装置を示す正面図である。
【図３】図１に示したディスク装置の内部構造を矢印Ａ方向から見た側面図である。
【図４】図１から図３に示したディスク装置の案内部材の構造を示す図であって、（ａ）は平面図であり、（ｂ）は正面図である。
【図５】図４に示した案内部材の要部を矢印Ｂ方向から見た拡大矢視図である。
【図６】図１から図３に示したディスク装置のローラ支持部材の構造を示す平面図である。
【図７】図６に示したローラ支持部材の要部を矢印Ｃ方向から見た拡大矢視図である。
【図８】図１から図３に示したディスク装置のレバーのピン部を示す正面図である。
【図９】図８に示したレバーのピン部を拡大して示す斜視図である。
【図１０】図８および図９に示したレバーのピン部に対する張り合わせディスクの当接状態を示す側面図である。
【図１１】この発明の実施の形態２によるディスク装置の案内部材の構造を示す図であって、（ａ）は平面図であり、（ｂ）は正面図である。
【図１２】図１１に示した案内部材の要部を矢印Ｄ方向から見た拡大矢視図である。
【符号の説明】
１　フレーム（筐体）、２　挿入スロット、３　ガイドフラップ（案内部材）、４　ディスクガイド部、４ａ　ディスク当接部、４ｂ　ディスク当接部、５　ディスクガイド部、５ａ　ディスク当接部、６　ローラベース（ローラ支持部材）、７　ローラ、８　ディスクガイド部、８ａ　ディスク当接部、９　ディスクガイド部、９ａ　ディスク当接部、１０　支軸、１１　ディスクサイズ選択レバー、１２　ピン部、１２ａ　ディスク当接部、Ｍ　ディスク。
【図１】
2004139639.tif 000003
【図２】
2004139639.tif 000004
【図３】
2004139639.tif 000005
【図４】
2004139639.tif 000006
【図５】
2004139639.tif 000007
【図６】
2004139639.tif 000008
【図７】
2004139639.tif 000009
【図８】
2004139639.tif 000010
【図９】
2004139639.tif 000011
【図１０】
2004139639.tif 000012
【図１１】
2004139639.tif 000013
【図１２】
2004139639.tif 000014